(57)【要約】【課題】換気用グリル設置部や、断熱気密型ではない一般的な点検口部位等に、その部分の断熱気密性を阻害することなくグリルやダクト用換気ファンを設置することが可能で、点検口の場合はそこを開けての点検、清掃が容易となる天井等の開口部に設置される設備周りの気密保持方法及びその方法を利用したダクト用換気ファンを提供することを課題とする。【解決手段】単一の排気用ダクト接続口３ａ、３ｂと複数の吸気用ダクト接続口４ａ、４ｂを有する箱型のハウジング１と、ハウジング１内に配置されるファン１０と、ハウジング１の下面に設置されてファン１０を駆動するモータ１４とから成る換気ファンであり、モータ１４をハウジング１の下面に設置するためのモータ取付板１２とハウジング１の下面との間に、施工時に当該換気ファンの設置部を取り囲むように張設される気密シートに重合するのに十分な大きさの気密シート９を配設したことを特徴とする。【選択図】図２
2008014573.tif 000002
【特許請求の範囲】
【請求項１】
内側に気密シートが貼られて断熱材が配置される天井、壁等の開口部に設置される機器や部品等の設備を、その設置部分の気密性を阻害することなく設置するための方法であって、前記開口部に向かう前記設備の端部に気密シートをスカート状に配設し、前記設備の設置時において、前記スカート状の気密シートを、前記天井等の内側に既設の気密シート上に十分な面積を以て重合させることを特徴とする開口部に設置される設備周りの気密保持方法。
【請求項２】
前記設備がダクト用換気ファンである請求項１に記載の開口部に設置される設備周りの気密保持方法。
【請求項３】
前記設備が、開口端部に室内側グリルが取り付けられるダクトである請求項１に記載の開口部に設置される設備周りの気密保持方法。
【請求項４】
単一の排気用ダクト接続口と複数の吸気用ダクト接続口を有する箱型のハウジングと、前記ハウジング内に配置されるファンと、前記ハウジングの下面に設置されて前記ファンを駆動するモータとから成る換気ファンであり、前記モータを前記ハウジングの下面に設置するためのモータ取付板と前記ハウジングの下面との間に、施工時に当該換気ファンの設置部を取り囲むように張設される気密シートに重合するのに十分な大きさの気密シートを配設したことを特徴とするダクト用換気ファン。
【請求項５】
前記ハウジングは発泡樹脂製であってその底面から側面にかけて外装板が被装され、前記モータ固定板は前記外装板に固定される請求項４に記載のダクト用換気ファン。
【請求項６】
前記気密シートは前記外装板に接着される請求項５に記載のダクト用換気ファン。
【発明の詳細な説明】
【技術分野】
【０００１】
本発明は、一般住宅の室の天井裏、壁面内、あるいは、床面下等に設置され、当該天井、壁等に設けられる開口に臨むダクトや換気ファン等の設備周りの気密保持方法、及び、その方法を利用した室内換気を行うためのダクト用換気ファンに関するものである。
【背景技術】
【０００２】
近時一般化している気密住宅における気密工法として、断熱材が充填される天井裏、壁面、床面等における天井板、壁板等の内面に、気密性及び防湿性を備えたポリエチレンフィルム製の気密シートを張設する方法が採られる。このような天井等を開口して配線・配管類を貫通させたり、当該開口にダクトや換気ファンを設置したりする場合、その部分の気密性が阻害されないようにする必要がある。
【０００３】
そのために、配線・配管類を貫通させる場合については、ゴム製ガスケットやシーラントが用いられている。しかし、天井裏等に配設されるダクトの先端を開口に引き寄せて、給排気グリルを取り付けるダクト周りや、ダクト用換気ファンの設置部分等については、その対策が十分ではなく、且つ、種々の不都合が生ずる。
【０００４】
この点につき、ダクト用換気ファンの場合に関して以下に詳述する。ダクト用換気ファンは一般に、１つの排気用ダクト接続口と複数の吸気用ダクト接続口を有する箱型のハウジング内にファンが配置され、ハウジングの下面にファンを駆動するモータを設置して成る。
【０００５】
この換気ファンの特長が活かされるのは、高断熱高気密住宅で以下の各場合である。
ａ．最上階の天井裏に断熱材と気密シートを設置する、所謂天井断熱工法の場合
この場合の換気ファンの設置位置は、最上階天井裏である。
ｂ．最下階の床裏に断熱材と気密シートを設置する、所謂床断熱工法の場合
この場合の換気ファンの設置位置は、最下階床裏である。
ｃ．柱間に断熱材を充填する、所謂充填断熱工法の場合
この場合の換気ファンの設置位置は、壁内である。
【０００６】
ところで、この換気ファンのメンテナンスを行なうのは居住者であり、その作業は室内側から行う必要があるので、その作業は、特別な道具を用いることなく且つ作業工程（手順）数が少なくて、簡易に行い得るものであることが要請される。
【０００７】
上記ａ乃至ｃの場合、換気ファンのメンテナンスを室内から行うために、当然当該部位に点検口を設けることになるが、この場合の点検口としては、断熱気密性のあるものが用いられることになる（例えば、特開２００３−１３８７４１号公報に記載のもの）。
【０００８】
この場合、室内側からメンテナンスを行うには断熱気密型の点検口を開口する必要があるが、従来の点検口は断熱蓋を天井裏へ押し上げて除けるタイプのものが多く、このタイプの点検口を、換気ファン設置を前提とした場合に採用することは現実的でない。
【０００９】
即ち、換気ファンと断熱蓋の間に十分なスペースを設け、断熱蓋を押し除けるスペースを確保すればよいが、そのようにした場合は、メンテナンスを行う居住者と換気ファンの距離が離れることになるので、メンテナンスがしづらくなる。そもそも、天井裏にそのような十分な懐が確保できない場合がほとんどである。
【００１０】
断熱蓋を室内側に取り除く形式の断熱気密型の点検口もあるが、この場合においても、換気ファンは断熱蓋を避けて設置される関係上、メンテナンスを行う居住者と換気ファンの距離が離れることになるので、メンテナンスがしづらくなるし、天井裏に十分な懐が確保できない場合がほとんどであることは、上記の場合と同じである。
【００１１】
更に言えば、断熱気密型の点検口は断熱気密型ではない点検口に比較してコスト高となるので、建築総費用のコストアップ要因となる。
【００１２】
【特許文献１】特開平９−１１２９５８号公報
【特許文献２】特開平１０−９６１２号公報
【特許文献３】特開平１１−６３６０７号公報
【特許文献４】特開２００１−３１７７８６号公報
【特許文献５】特開２００２−２２２３５号公報
【特許文献６】特開２００３−１３８７４１号公報
【発明の開示】
【発明が解決しようとする課題】
【００１３】
本発明は上記背景の下になされたもので、簡便且つ低コストな方法であって、換気用グリル設置部や、断熱気密型ではない一般的な点検口部位等に、その部分の断熱気密性を阻害することなくグリルやダクト用換気ファンを設置することが可能で、点検口の場合はそこを開けての点検、清掃が容易となる天井等の開口部に設置される設備周りの気密保持方法及びその方法を利用したダクト用換気ファンを提供することを課題とする。
【課題を解決するための手段】
【００１４】
上記課題を解決するための請求項１に記載の方法は、内側に気密シートが貼られて断熱材が配置される天井、壁等の開口部に設置される機器や部品等の設備を、その設置部分の気密性を阻害することなく設置するための方法であって、前記開口部に向かう前記設備の端部に気密シートをスカート状に配設し、前記設備の設置時において、前記スカート状の気密シートを、前記天井等の内側に既設の気密シート上に十分な面積を以て重合させることを特徴とする。
【００１５】
前記設備としては、給気グリル、開口端部に室内側グリルが取り付けられるダクト、給気管、ダクト用換気ファン等が考えられる。
【００１６】
上記課題を解決するための請求項４に記載の発明は、単一の排気用ダクト接続口と複数の吸気用ダクト接続口を有する箱型のハウジングと、前記ハウジング内に配置されるファンと、前記ハウジングの下面に設置されて前記ファンを駆動するモータとから成る換気ファンであり、前記モータを前記ハウジングの下面に設置するためのモータ取付板と前記ハウジングの下面との間に、施工時に当該換気ファンの設置部を取り囲むように張設される気密シートに重合するのに十分な大きさの気密シートを配設したことを特徴とするダクト用換気ファンである。
【００１７】
好ましくは、前記ハウジングは発泡樹脂製であってその底面から側面にかけて外装板が被装され、前記モータ固定板は前記外装板に固定される。また、前記気密シートは前記外装板に接着されることもある。
【発明の効果】
【００１８】
本発明は上記のとおりであって、設備側の気密シートが既設の気密シートに重なり、その部分が断熱材により押止されるため、当該設置部における断熱気密性が十分に確保される効果があり、簡便で低コストにて実施でき、換気用グリル設置部や、断熱気密型ではない一般的な点検口部位等に実施でき、点検口の場合はそこを開けての点検、清掃が容易である。
【発明を実施するための最良の形態】
【００１９】
本発明を実施するための最良の形態について、添付図面に依拠して説明する。本発明に係る天井等の開口部に設置される設備周りの気密保持方法は、内側に気密シートが貼られて断熱材が配置される天井、壁等の開口部に設置される機器や部品等の設備を、その設置部分の気密性を阻害することなく設置するための方法であって、前記開口部に向かう前記設備の端部に気密シートをスカート状に配設し、前記設備の設置時において、前記スカート状の気密シートを、前記天井等の内側に張設されている気密シート上に十分な面積を以て重合させることを特徴とする。
【００２０】
図１は、上記本発明にかかる方法を実施した本発明に係るダクト用換気ファンの一実施形態の下方視斜視図、図２はその分解斜視図であり、図中１ａは上側ハウジング、１ｂは下側ハウジングである。上側ハウジング１ａと下側ハウジング１ｂは共に発泡樹脂製で、重合することによって１つの箱型のハウジング１を構成する。ハウジング１内には下方からファン１０が組み込まれる。そのために、下側ハウジング１ｂには、円形の挿入開口２が形成される。
【００２１】
上側ハウジング１ａと下側ハウジング１ｂは、それぞれ一側面に、大径の排気用ダクト接続口３を構成するための大径半円筒部３ａ、３ｂを１つ有する。また、上側ハウジング１ａと下側ハウジング１ｂは、それぞれ上記と反対側の側面に、小径の吸気ダクト接続口４を構成するための小径半円筒部４ａ、４ｂを、それぞれ複数（図示した例では４）有する。
【００２２】
大径半円筒部３ａと大径半円筒部３ｂが合わさることにより、大径の排気用ダクト５の端部を保持するための円筒形の排気用ダクト接続口３が構成される。また、小径半円筒部４ａと小径半円筒部４ｂが合わさることにより、小径の吸気用ダクト６の端部を保持するための円筒形の吸気用ダクト接続口４が構成される（図３参照）。
【００２３】
７は樹脂製又は金属製の外装枠で、ハウジング１の底面から両側面（大径ダクト接続口３及び小径ダクト接続口４を設けてない側面）にかけて被着される。外装枠７の底面には、ファン１０を挿通し得るサイズの底面開口７ａが形成され、また、両側面の上部には、本換気ファンを木下地３０等に固定するための吊金具８が取り付けられる。
【００２４】
９は気密シートであり、外装枠７の底面から四方に延びるように、外装枠７の下に配備される。気密シート９は、予め外装枠７の底面に貼着しておいてもよいし、取付工事に際して外装枠７の下に配置することとしてもよい。気密シート９の中央部にも、底面開口７ａに対応する開口９ａが形成される。
【００２５】
１１は電源ボックス、１２はモータ取付板、１３は、モータ取付板１２における結露を防止するためにモータ取付板１２に当てがわれる発泡材製の結露防止材、１４はモータ、１５はモータ押えである。発泡断熱材１３は、モータ取付板１２とモータ押え１５との間に挟持されることにより、その部分の気密性を高める役割を果たす。モータ１４はモータ取付板１２を介して外装枠７の底面に固定され、その結果気密シート９が、外装枠７とモータ取付板１２との間に挟み込まれることになる。
【００２６】
本ダクト用換気ファンは、吊金具８を介して例えば木下地３０に固定され、気密シート９は、天井点検口３２を避けるように四方に引張り、天井３１と断熱材３４との間に張られる気密シート３５と連続するように、気密シート３５上に垂らす（図３参照）。そのために気密シート９は、気密シート３５上に十分に重なり合う大きさのものとする必要がある。気密シート９の周縁部は、必要に応じ、粘着テープ等で気密シート３５上に仮止めする。
【００２７】
その後、気密シート９上にバッド状断熱材、板状断熱材、吹込み断熱材等の断熱材３４を充填する。かくして気密シート９の周縁部が、断熱材３４によって気密シート３５を介して天井３１の上面に押し付けられ、以て点検口３３を取り巻く部分の気密断熱性が確保される。なお、図３では、理解を助けるために、気密シート９、気密シート３５及び天井３１を互いに離して表現してある。
【００２８】
上記説明は、開口部に設置される設備としてダクト用換気ファンを最上階の天井裏に設置する場合のものであるが、他の設備の場合もこれに準ずる。例えば、図４は、天井裏に配設した換気用のダクト３６の先端を、天井開口３７に引き寄せて、室内外からグリル３８を取り付ける場合の例を示している。この場合、気密シート９は、ダクト３６の端部にスカート状に拡がるように固定されていて、設置時に気密シート９を気密シート３５上に拡げて重ねる。
【００２９】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３０】
【図１】本発明に係るダクト用換気ファンの一実施形態の下方視斜視図である。
【図２】本発明に係るダクト用換気ファンの一実施形態の分解斜視図である。
【図３】本発明に係るダクト用換気ファンの一実施形態の設置状態図である。
【図４】本発明に係る方法をダクトについて実施した場合の状態を示す図である。
【符号の説明】
【００３１】
１            ハウジング
１ａ          上側ハウジング
１ｂ          下側ハウジング
２            挿入開口
３            排気用ダクト接続口
３ａ、３ｂ    排気用半円筒部
４            吸気用ダクト接続口
４ａ、４ｂ    小径半円筒部
５            排気用ダクト
６            吸気用ダクト
７            外装枠
７ａ          底面開口
８            吊金具
９            気密シート
１０            ファン
１１            電源ボックス
１２            モータ取付板
１３            結露防止材
１４            モータ
１５            モータ押え
３０            木下地
３１            天井
３２            天井点検口
３３            点検口
３４            断熱材
３５            気密シート
３６            ダクト
３７            天井開口
３８            グリル
【図１】
2008014573.tif 000003
【図２】
2008014573.tif 000004
【図３】
2008014573.tif 000005
【図４】
2008014573.tif 000006